【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
モバイルデバイスコンテンツへの低減された電力消費アクセスのための方法であって、
前記モバイルデバイスの割り当てられたオン−オフ電力サイクルタイミングを割り当てることであって、前記割り当てることが、前記モバイルデバイスの前記割り当てられたオン−オフ電力サイクルタイミングを、前記モバイルデバイスを識別するモバイルデバイス識別子に関連付けることを含む、割り当てることと、
前記モバイルデバイスのコンテンツへのアクセスのためのハイパーテキスト転送プロトコル要求をウェブクライアントから受信することであって、前記ハイパーテキスト転送プロトコル要求が前記モバイルデバイス識別子を含む、受信することと、
前記モバイルデバイス識別子に基づいて、前記モバイルデバイスの取得されたオン−オフ電力サイクルタイミングを取得することであって、前記モバイルデバイスの前記取得されたオン−オフ電力サイクルタイミングが、前記割り当てられたオン−オフ電力サイクルタイミングである、取得することと、
前記モバイルデバイスの前記取得されたオン−オフ電力サイクルタイミングに少なくとも部分的に基づいて、前記モバイルデバイスへの前記ハイパーテキスト転送プロトコル要求によって要求されるウェブクライアントアクセスを制御することと、ここにおいて、ウェブクライアントアクセスを制御することは、直接前記モバイルデバイスにアクセスするための直接アドレスを有する命令を前記ウェブクライアントに送ることを含む、
を備える、方法。
【請求項２】
前記モバイルデバイスの前記割り当てられたオン−オフ電力サイクルタイミングを、前記モバイルデバイスの前記モバイルデバイス識別子に基づいて検索可能であるようにデータベースに記憶することをさらに備える、請求項１に記載のモバイルデバイスコンテンツへの低減された電力消費アクセスのための方法。
【請求項３】
前記モバイルデバイスの前記オン−オフ電力サイクルタイミングを取得することが、前記モバイルデバイスの前記モバイルデバイス識別子を使用して、前記データベースにクエリを行うことを含む、請求項２に記載のモバイルデバイスコンテンツへの低減された電力消費アクセスのための方法。
【請求項４】
前記ハイパーテキスト転送プロトコル要求を前記ウェブクライアントから受信することが、ウェブサーバで行われ、前記方法が、
絶対時間信号を受信することであって、前記受信することが、前記ウェブサーバと、前記ウェブクライアントと、前記モバイルデバイスとで行われる、受信することをさらに備え、ウェブクライアントアクセスを制御することが、
前記絶対時間信号に対してタイムスケジュールでのアクセスを実行するための命令を、前記モバイルデバイスの前記取得されたオン−オフ電力サイクルタイミングに基づいて、前記ウェブサーバから前記ウェブクライアントに送ることを含む、請求項３に記載のモバイルデバイスコンテンツへの低減された電力消費アクセスのための方法。
【請求項５】
前記モバイルデバイスの前記割り当てられたオン−オフ電力サイクルタイミングを割り当てることが、前記モバイルデバイスの前記識別子の算術関数に基づいて、所与の複数のタイムスケジュールの間でタイムスケジュールを選択することと、前記タイムスケジュールを、前記モバイルデバイスの前記割り当てられたオン−オフ電力サイクルタイミングとして割り当てることとを含む、請求項１に記載のモバイルデバイスコンテンツへの低減された電力消費アクセスのための方法。
【請求項６】
前記モバイルデバイスの前記取得されたオン−オフ電力サイクルタイミングを取得することが、前記算術関数を前記モバイルデバイスの前記モバイルデバイス識別子に適用することを含む、請求項５に記載のモバイルデバイスコンテンツへの低減された電力消費アクセスのための方法。
【請求項７】
前記ウェブクライアントから前記ハイパーテキスト転送プロトコル要求を受信することが、ウェブサーバで行われ、前記モバイルデバイスの前記取得されたオン−オフ電力サイクルタイミングが、前記算術関数を前記モバイルデバイスの前記識別子に前記適用することの結果に基づき、ウェブクライアントアクセスを制御することが、
前記モバイルデバイスにアクセスするための前記直接アドレスを有する前記命令、および絶対時間信号に対する前記取得されたオン−オフ電力サイクルタイミングに基づいてタイムスケジュールでのアクセスを実行するための命令を、前記ウェブサーバから前記ウェブクライアントに送ることを含む、請求項６に記載のモバイルデバイスコンテンツへの低減された電力消費アクセスのための方法。
【請求項８】
前記ウェブクライアントから前記ハイパーテキスト転送プロトコル要求を受信することが、ウェブサーバで行われ、ウェブクライアントアクセスを制御することが、
前記モバイルデバイスの前記取得されたオン−オフ電力サイクルタイミングに基づいてタイムスケジュールでのアクセスを実行するための命令を、前記ウェブサーバから前記ウェブクライアントに送ることを含む、請求項１に記載のモバイルデバイスコンテンツへの低減された電力消費アクセスのための方法。
【請求項９】
ウェブクライアントアクセスを制御することが、アクセス要求ペンディングインジケータを前記ウェブサーバから前記ウェブクライアントに送ることを含み、前記送ることが、アクセスを実行するための前記命令を前記送ることで開始し、前記モバイルデバイスの前記取得されたオン−オフ電力サイクルタイミングに基づく時間に終了する時間間隔内の範囲で行われる、請求項８に記載のモバイルデバイスコンテンツへの低減された電力消費アクセスのための方法。
【請求項１０】
前記モバイルデバイス識別子を、割り当てられたＩＰアドレスに関連付けるデータベースを維持することと、
前記割り当てられたＩＰアドレスを取得するために、前記ハイパーテキスト転送プロトコル要求内の前記モバイルデバイス識別子に基づいて、前記モバイルデバイス識別子を前記割り当てられたＩＰアドレスに関連付ける前記データベースのクエリを実行することと
をさらに備え、
前記モバイルデバイスに対する前記ハイパーテキスト転送プロトコル要求によって要求されるウェブクライアントアクセスを制御することが、前記ウェブクライアントにハイパーテキスト転送プロトコルリダイレクト要求を送ることを含み、前記ハイパーテキスト転送プロトコルリダイレクト要求が、前記割り当てられたＩＰアドレスを含む、モバイルデバイス上でウェブサイトにアクセスするための、請求項１に記載のモバイルデバイスコンテンツへの低減された電力消費アクセスのための方法。
【請求項１１】
ウェブクライアントで絶対時間信号を受信することと、
モバイルデバイスのコンテンツへのウェブクライアントのアクセスのためのハイパーテキスト転送プロトコル接続要求を前記ウェブクライアントからウェブサーバに送ることであって、前記ハイパーテキスト転送プロトコル接続要求が、前記モバイルデバイスを識別するモバイルデバイス識別子を含む、送ることと、
前記モバイルデバイスに関連付けられたＩＰアドレスにリダイレクトする命令を前記ウェブクライアントで前記ウェブサーバから受信することであって、前記リダイレクトが、前記絶対時間信号に対して特定の時間に行われる、受信することと、
前記特定の時間に従って、前記ウェブクライアントから前記モバイルデバイスにハイパーテキスト転送プロトコルリダイレクトを送ることと
を備える、モバイルデバイスコンテンツへの低減された電力消費アクセスのための方法。
【請求項１２】
前記ウェブクライアントで前記ウェブサーバからアクセス要求ペンディングインジケータを受信することであって、前記受信することが、前記特定の時間にリダイレクトする前記命令の前記受信で開始し、前記特定の時間に基づく時間に終了する時間間隔内の範囲で行われる、受信することと、
前記アクセス要求ペンディングインジケータに基づいて、前記ウェブクライアントでビジュアルステータスインジケータを表示することと
をさらに備える、請求項１１に記載のモバイルデバイスコンテンツへの低減された電力消費アクセスのための方法。
【請求項１３】
前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行し、前記クエリの結果を表示することと
をさらに備える、請求項１１に記載のモバイルデバイスコンテンツへの低減された電力消費アクセスのための方法。
【請求項１４】
前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に検出されたセルサイト位置について前記モバイルデバイスに関連付けられたセルラネットワークの問合せを実行し、前記問合せの結果を表示することと
をさらに備える、請求項１１に記載のモバイルデバイスコンテンツへの低減された電力消費アクセスのための方法。
【請求項１５】
前記ハイパーテキスト転送プロトコルリダイレクトに対応するハイパーテキスト転送プロトコル接続された通信を前記ウェブクライアントで受信することと、
モバイルデバイス位置決定のための要求を前記ウェブクライアントから前記モバイルデバイスに送ることと、
前記モバイルデバイス位置決定のための前記要求を前記モバイルデバイスに前記送ることに関連して位置決定タイムアウトタイマーを開始することと、
前記モバイルデバイス位置決定のための前記要求に対応するモバイルデバイス位置決定を前記ウェブクライアントで受信する前に、前記位置決定タイムアウトタイマーがタイムアウト値に達するのに応答して、前記モバイルデバイスの現在検出されているセルサイト位置について前記モバイルデバイスに関連付けられたセルラネットワークの問合せを実行し、前記問合せの結果を表示することと
をさらに備える、請求項１１に記載のモバイルデバイスコンテンツへの低減された電力消費アクセスのための方法。
【請求項１６】
ワイヤレス通信システム内のプロセッサによって実行されたとき、モバイルデバイスコンテンツへの低減された電力消費アクセスの方法を前記プロセッサに実行させる命令を備える非一時的コンピュータ可読媒体であって、前記命令が、
プロセッサに、前記モバイルデバイスの割り当てられたオン−オフ電力サイクルタイミングを割り当てさせ、前記モバイルデバイスの前記割り当てられたオン−オフ電力サイクルタイミングを、前記モバイルデバイスを識別するモバイルデバイス識別子に関連付けさせる命令と、
プロセッサに、前記モバイルデバイスのコンテンツへのアクセスのためのハイパーテキスト転送プロトコル要求をウェブクライアントから受信させる命令であって、前記ハイパーテキスト転送プロトコル要求が、前記モバイルデバイス識別子を含む、受信させる命令と、
プロセッサに、前記モバイルデバイス識別子に基づいて、前記モバイルデバイスの取得されたオン−オフ電力サイクルタイミングを取得させる命令であって、前記モバイルデバイスの前記取得されたオン−オフ電力サイクルタイミングが、前記割り当てられたオン−オフ電力サイクルタイミングである、取得させる命令と、
プロセッサに、前記モバイルデバイスの前記取得されたオン−オフ電力サイクルタイミングに少なくとも部分的に基づいて、前記モバイルデバイスに対する前記ハイパーテキスト転送プロトコル要求によって要求されるウェブクライアントアクセスを制御させる命令と、ここにおいて、ウェブクライアントアクセスを制御することは、直接前記モバイルデバイスにアクセスするための直接アドレスを有する命令を前記ウェブクライアントに送ることを含む、
を備える、非一時的コンピュータ可読媒体。
【請求項１７】
ワイヤレス通信システム内のプロセッサによって実行されたとき、モバイルデバイスコンテンツへの低減された電力消費アクセスの方法を前記プロセッサに実行させる命令を備える非一時的コンピュータ可読媒体であって、前記命令が、
プロセッサに、絶対時間信号をウェブクライアントで受信させる命令と、
プロセッサに、前記モバイルデバイスのコンテンツへのウェブクライアントアクセスのためのハイパーテキスト転送プロトコル接続要求を前記ウェブクライアントからウェブサーバに送らせる命令であって、前記ハイパーテキスト転送プロトコル接続要求が、前記モバイルデバイスを識別するモバイルデバイス識別子を含む、送らせる命令と、
プロセッサに、前記絶対時間信号に対する特定の時間に、前記モバイルデバイスに関連付けられたＩＰアドレスにリダイレクトする命令を、前記ウェブサーバから前記ウェブクライアントで受信させる命令と、
プロセッサに、前記特定の時間に従ってハイパーテキスト転送プロトコルリダイレクトを前記ウェブクライアントから前記モバイルデバイスに送らせる命令と
を備える、非一時的コンピュータ可読媒体。
【請求項１８】
前記命令が、
プロセッサに、前記ウェブサーバからのアクセス要求ペンディングインジケータを前記ウェブクライアントで受信させる命令であって、前記受信が、時間間隔内の範囲で行われ、前記時間間隔が、前記特定の時間にリダイレクトする前記命令の前記受信で開始し、前記特定の時間に基づく時間に終了する、受信させる命令と、
プロセッサに、前記アクセス要求ペンディングインジケータに基づいて、前記ウェブクライアントでビジュアルステータスインジケータを表示させる命令と
をさらに備える、請求項１７に記載のコンピュータ可読媒体。
【請求項１９】
前記命令が、
プロセッサに、前記ハイパーテキスト転送プロトコルリダイレクトを前記送ることに関連して接続タイムアウトタイマーを開始させる命令と、
プロセッサに、前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行させ、前記クエリの結果を表示させる命令と
をさらに備える、請求項１７に記載のコンピュータ可読媒体。
【請求項２０】
モバイルデバイスコンテンツへの低減された電力消費アクセスを提供するための装置であって、前記装置が、
ネットワークインターフェースと、
前記ネットワークインターフェースに通信可能に結合されたプロセッサと、
前記プロセッサに通信可能に結合され、命令を有するメモリと
を備え、前記命令が、前記プロセッサによって実行されたとき、前記装置に、
前記モバイルデバイスの割り当てられたオン−オフ電力サイクルタイミングを割り当てることであって、前記割り当てることが、前記モバイルデバイスの前記割り当てられたオン−オフ電力サイクルタイミングを、前記モバイルデバイスを識別するモバイルデバイス識別子に関連付けることを含む、割り当てることと、
前記モバイルデバイスのコンテンツへのアクセスのためのハイパーテキスト転送プロトコル要求をウェブクライアントから受信することであって、前記ハイパーテキスト転送プロトコル要求が前記モバイルデバイス識別子を含む、受信することと
前記モバイルデバイス識別子に基づいて、前記モバイルデバイスの取得されたオン−オフ電力サイクルタイミングを取得することであって、前記モバイルデバイスの取得されたオン−オフ電力サイクルタイミングが、前記割り当てられたオン−オフ電力サイクルタイミングである、取得することと、
前記モバイルデバイスの前記取得されたオン−オフ電力サイクルタイミングに少なくとも部分的に基づいて、前記モバイルデバイスに対する前記ハイパーテキスト転送プロトコル要求によって要求されるウェブクライアントアクセスを制御することと、ここにおいて、ウェブクライアントアクセスを制御することは、直接前記モバイルデバイスにアクセスするための直接アドレスを有する命令を前記ウェブクライアントに送ることを含む、
を行わせる、装置。
【請求項２１】
前記命令が、前記プロセッサによって実行されたとき、さらに前記装置に、前記モバイルデバイスの前記割り当てられたオン−オフ電力サイクルタイミングを、前記モバイルデバイスの前記モバイルデバイス識別子に基づいて検索可能であるようにデータベースに記憶させる、請求項２０に記載のモバイルデバイスコンテンツへの低減された電力消費アクセスを提供するための装置。
【請求項２２】
前記モバイルデバイスの前記オン−オフ電力サイクルタイミングを取得することが、前記モバイルデバイスの前記モバイルデバイス識別子を使用して、前記データベースにクエリを行うことを含む、請求項２１に記載のモバイルデバイスコンテンツへの低減された電力消費アクセスを提供するための装置。
【請求項２３】
前記装置が、ウェブサーバであり、前記命令が、前記プロセッサによって実行されたとき、さらに前記装置に、
絶対時間信号を受信させ、前記受信が、前記ウェブサーバと、前記ウェブクライアントと、前記モバイルデバイスとで行われ、ウェブクライアントアクセスを制御することが、
前記絶対時間信号に対してタイムスケジュールでのアクセスを実行するための命令を、前記モバイルデバイスの前記取得されたオン−オフ電力サイクルタイミングに基づいて、前記ウェブサーバから前記ウェブクライアントに送ることを含む、請求項２２に記載のモバイルデバイスコンテンツへの低減された電力消費アクセスを提供するための装置。
【請求項２４】
前記モバイルデバイスの前記割り当てられたオン−オフ電力サイクルタイミングを割り当てることが、前記モバイルデバイスの前記識別子の算術関数に基づいて、所与の複数のタイムスケジュールの間でタイムスケジュールを選択することと、前記タイムスケジュールを、前記モバイルデバイスの前記割り当てられたオン−オフ電力サイクルタイミングとして割り当てることとを含む、請求項２０に記載のモバイルデバイスコンテンツへの低減された電力消費アクセスを提供するための装置。
【請求項２５】
前記モバイルデバイスの前記取得されたオン−オフ電力サイクルタイミングを取得することが、前記算術関数を前記モバイルデバイスの前記モバイルデバイス識別子に適用することを含む、請求項２４に記載のモバイルデバイスコンテンツへの低減された電力消費アクセスを提供するための装置。
【請求項２６】
前記装置が、ウェブサーバであり、
前記モバイルデバイスの前記取得されたオン−オフ電力サイクルタイミングが、前記算術関数を前記モバイルデバイスの前記識別子に前記適用することの結果に基づき、ウェブクライアントアクセスを制御することが、
前記モバイルデバイスにアクセスするための前記直接アドレスを有する前記命令、および絶対時間信号に対する前記取得されたオン−オフ電力サイクルタイミングに基づいてタイムスケジュールでのアクセスを実行するための命令を、前記ウェブサーバから前記ウェブクライアントに前記ネットワークインターフェースを介して送ることを含む、請求項２５に記載のモバイルデバイスコンテンツへの低減された電力消費アクセスを提供するための装置。
【請求項２７】
前記装置が、ウェブサーバであり、ウェブクライアントアクセスを制御することが、
前記モバイルデバイスの前記取得されたオン−オフ電力サイクルタイミングに基づいてタイムスケジュールでのアクセスを実行するための命令を、前記ウェブサーバから前記ウェブクライアントに前記ネットワークインターフェースを介して送ることを含む、請求項２０に記載のモバイルデバイスコンテンツへの低減された電力消費アクセスを提供するための装置。
【請求項２８】
ウェブクライアントアクセスを制御することが、アクセス要求ペンディングインジケータを前記ウェブサーバから前記ウェブクライアントに前記ネットワークインターフェースを介して送ることを含み、前記送ることが、アクセスを実行するための前記命令を送ることで開始し、前記モバイルデバイスの前記取得されたオン−オフ電力サイクルタイミングに基づく時間に終了する時間間隔内の範囲で行われる、請求項２７に記載のモバイルデバイスコンテンツへの低減された電力消費アクセスを提供するための装置。
【請求項２９】
前記命令が、前記プロセッサによって実行されたとき、さらに前記装置に、
前記モバイルデバイス識別子を、割り当てられたＩＰアドレスに関連付けるデータベースを維持することと、
前記割り当てられたＩＰアドレスを取得するために、前記ハイパーテキスト転送プロトコル要求内の前記モバイルデバイス識別子に基づいて、前記モバイルデバイス識別子を前記割り当てられたＩＰアドレスに関連付ける前記データベースのクエリを実行することと
を行わせ、
前記モバイルデバイスに対する前記ハイパーテキスト転送プロトコル要求によって要求されるウェブクライアントアクセスを制御することが、前記ウェブクライアントにハイパーテキスト転送プロトコルリダイレクト要求を送ることを含み、前記ハイパーテキスト転送プロトコルリダイレクト要求が、前記割り当てられたＩＰアドレスを含む、請求項２０に記載のモバイルデバイスコンテンツへの低減された電力消費アクセスを提供するための装置。
【請求項３０】
モバイルデバイスコンテンツへの低減された電力消費アクセスを提供するための装置であって、前記装置が、
ネットワークインターフェースと、
前記ネットワークインターフェースに通信可能に結合されたプロセッサと、
前記プロセッサに通信可能に結合され、命令を有するメモリと
を備え、前記命令が、前記プロセッサによって実行されたとき、前記装置に、
ウェブクライアントで絶対時間信号を受信することと、
モバイルデバイスのコンテンツへのウェブクライアントアクセスのためのハイパーテキスト転送プロトコル接続要求を前記ウェブクライアントからウェブサーバに前記ネットワークインターフェースを介して送ることであって、前記ハイパーテキスト転送プロトコル接続要求が、前記モバイルデバイスを識別するモバイルデバイス識別子を含む、送ることと、
前記モバイルデバイスに関連付けられたＩＰアドレスにリダイレクトする命令を前記ウェブサーバから前記ネットワークインターフェースを介して受信することであって、前記リダイレクトが、前記絶対時間信号に対して特定の時間に行われる、受信することと、
前記特定の時間に従って、前記ウェブクライアントから前記モバイルデバイスにハイパーテキスト転送プロトコルリダイレクトを送ることと
を行わせる、装置。
【請求項３１】
前記命令が、前記プロセッサによって実行されたとき、さらに前記装置に、
前記ネットワークインターフェースを介して前記ウェブサーバからアクセス要求ペンディングインジケータを受信することであって、前記受信することが、前記特定の時間にリダイレクトする前記命令の前記受信で開始し、前記特定の時間に基づく時間に終了する時間間隔内の範囲で行われる、受信することと、
前記アクセス要求ペンディングインジケータに基づいて、前記ウェブクライアントでビジュアルステータスインジケータを表示することと
を行わせる、請求項３０に記載のモバイルデバイスコンテンツへの低減された電力消費アクセスを提供するための装置。
【請求項３２】
前記命令が、前記プロセッサによって実行されたとき、さらに前記装置に、
前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行し、前記クエリの結果を表示することと
を行わせる、請求項３０に記載のモバイルデバイスコンテンツへの低減された電力消費アクセスを提供するための装置。
【請求項３３】
前記命令が、前記プロセッサによって実行されたとき、さらに前記装置に、
前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に検出されたセルサイト位置について前記モバイルデバイスに関連付けられたセルラネットワークの問合せを実行し、前記問合せの結果を表示することと
を行わせる、請求項３０に記載のモバイルデバイスコンテンツへの低減された電力消費アクセスを提供するための装置。
【請求項３４】
前記命令が、前記プロセッサによって実行されたとき、さらに前記装置に、
前記ハイパーテキスト転送プロトコルリダイレクトに対応するハイパーテキスト転送プロトコル接続された通信を前記ウェブクライアントで受信することと、
モバイルデバイス位置決定のための要求を前記ウェブクライアントから前記モバイルデバイスに送ることと、
前記モバイルデバイス位置決定のための前記要求を前記モバイルデバイスに前記送ることに関連して位置決定タイムアウトタイマーを開始することと、
前記モバイルデバイス位置決定のための前記要求に対応するモバイルデバイス位置決定を前記ウェブクライアントで受信する前に、前記位置決定タイムアウトタイマーがタイムアウト値に達するのに応答して、前記モバイルデバイスの現在検出されているセルサイト位置について前記モバイルデバイスに関連付けられたセルラネットワークの問合せを実行し、前記問合せの結果を表示することと
を行わせる、請求項３０に記載のモバイルデバイスコンテンツへの低減された電力消費アクセスを提供するための装置。
【請求項３５】
モバイルデバイスコンテンツへの低減された電力消費アクセスのためのシステムであって、
前記モバイルデバイスの割り当てられたオン−オフ電力サイクルタイミングを割り当てるための手段であって、割り当てるための前記手段が、前記モバイルデバイスの前記割り当てられたオン−オフ電力サイクルタイミングを、前記モバイルデバイスを識別するモバイルデバイス識別子に関連付けるための手段を含む、割り当てるための手段と、
前記モバイルデバイスのコンテンツへのアクセスのためのハイパーテキスト転送プロトコル要求をウェブクライアントから受信するための手段であって、前記ハイパーテキスト転送プロトコル要求が前記モバイルデバイス識別子を含む、受信するための手段と、
前記モバイルデバイス識別子に基づいて、前記モバイルデバイスの取得されたオン−オフ電力サイクルタイミングを取得するための手段であって、前記モバイルデバイスの取得されたオン−オフ電力サイクルタイミングが、前記割り当てられたオン−オフ電力サイクルタイミングである、取得するための手段と、
前記モバイルデバイスの前記取得されたオン−オフ電力サイクルタイミングに少なくとも部分的に基づいて、前記モバイルデバイスに対する前記ハイパーテキスト転送プロトコル要求によって要求されるウェブクライアントアクセスを制御するための手段と、ここにおいて、ウェブクライアントアクセスを制御するための前記手段は、直接前記モバイルデバイスにアクセスするための直接アドレスを有する命令を前記ウェブクライアントに送るための手段を含む、
を備える、システム。
【請求項３６】
前記モバイルデバイスの前記割り当てられたオン−オフ電力サイクルタイミングを、前記モバイルデバイスの前記モバイルデバイス識別子に基づいて検索可能であるようにデータベースに記憶するための手段をさらに備える、請求項３５に記載のモバイルデバイスコンテンツへの低減された電力消費アクセスのためのシステム。
【請求項３７】
前記モバイルデバイスの前記オン−オフ電力サイクルタイミングを取得するための前記手段が、前記モバイルデバイスの前記モバイルデバイス識別子を使用して、前記データベースにクエリを行うための手段を含む、請求項３６に記載のモバイルデバイスコンテンツへの低減された電力消費アクセスのためのシステム。
【請求項３８】
前記ハイパーテキスト転送プロトコル要求を前記ウェブクライアントから受信するための前記手段が、ウェブサーバにあり、前記システムが、
絶対時間信号を受信するための手段であって、前記受信することが、前記ウェブサーバと、前記ウェブクライアントと、前記モバイルデバイスとで行われる、受信するための手段をさらに備え、ウェブクライアントアクセスを制御することが、
前記絶対時間信号に対してタイムスケジュールでのアクセスを実行するための命令を、前記モバイルデバイスの前記取得されたオン−オフ電力サイクルタイミングに基づいて、前記ウェブサーバから前記ウェブクライアントに送るための手段を含む、請求項３７に記載のモバイルデバイスコンテンツへの低減された電力消費アクセスのためのシステム。
【請求項３９】
モバイルデバイスコンテンツへの低減された電力消費アクセスのためのシステムであって、
ウェブクライアントで絶対時間信号を受信するための手段と、
モバイルデバイスのコンテンツへのウェブクライアントアクセスのためのハイパーテキスト転送プロトコル接続要求を前記ウェブクライアントからウェブサーバに送るための手段であって、前記ハイパーテキスト転送プロトコル接続要求が、前記モバイルデバイスを識別するモバイルデバイス識別子を含む、送るための手段と、
前記モバイルデバイスに関連付けられたＩＰアドレスにリダイレクトする命令を前記ウェブクライアントで前記ウェブサーバから受信するための手段であって、前記リダイレクトが、前記絶対時間信号に対して特定の時間に行われる、受信するための手段と、
前記特定の時間に従って、前記ウェブクライアントから前記モバイルデバイスにハイパーテキスト転送プロトコルリダイレクトを送るための手段と
を備える、システム。
【請求項４０】
前記ウェブクライアントで前記ウェブサーバからアクセス要求ペンディングインジケータを受信するための手段であって、前記受信が、前記特定の時間にリダイレクトする前記命令の前記受信で開始し、前記特定の時間に基づく時間に終了する時間間隔内の範囲で行われる、受信するための手段と、
前記アクセス要求ペンディングインジケータに基づいて、前記ウェブクライアントでビジュアルステータスインジケータを表示するための手段と
をさらに備える、請求項３９に記載のモバイルデバイスコンテンツへの低減された電力消費アクセスのためのシステム。
【請求項４１】
前記ハイパーテキスト転送プロトコルリダイレクトを前記送ることに関連して接続タイムアウトタイマーを開始するための手段と、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行し、前記クエリの結果を表示するための手段と
をさらに備える、請求項３９に記載のモバイルデバイスコンテンツへの低減された電力消費アクセスのためのシステム。
【手続補正２】
【補正対象書類名】明細書
【補正対象項目名】０１２１
【補正方法】変更
【補正の内容】
【０１２１】
［00129]前述の開示は、本発明の例示的実施形態を示しているが、様々な変更および修正が、添付の特許請求の範囲によって定義されるような本発明の範囲から逸脱することなく、本明細書においてなされ得ることが留意されるべきである。本明細書で説明した本発明の実施形態による方法クレームの機能、ステップ、および／またはアクションは、どのような特定の順序で実行される必要もない。さらに、本発明の要素は、単数形で説明または特許請求されている場合があるが、単数形への限定が明示的に述べられていない限り、複数形が企図される。
以下に、本願出願の当初の特許請求の範囲に記載された発明を付記する。
［Ｃ１］モバイルデバイスコンテンツへの低減された電力消費アクセスのための方法であって、
前記モバイルデバイスの割り当てられたオン−オフ電力サイクルタイミングを割り当てることであって、前記割り当てることが、前記モバイルデバイスの前記割り当てられたオン−オフ電力サイクルタイミングを、前記モバイルデバイスを識別するモバイルデバイス識別子に関連付けることを含む、割り当てることと、
前記モバイルデバイスのコンテンツへのアクセスのためのハイパーテキスト転送プロトコル要求をウェブクライアントから受信することであって、前記ハイパーテキスト転送プロトコル要求が前記モバイルデバイス識別子を含む、受信することと、
前記モバイルデバイス識別子に基づいて、前記モバイルデバイスの取得されたオン−オフ電力サイクルタイミングを取得することであって、前記モバイルデバイスの前記取得されたオン−オフ電力サイクルタイミングが、前記割り当てられたオン−オフ電力サイクルタイミングである、取得することと、
前記モバイルデバイスの前記取得されたオン−オフ電力サイクルタイミングに少なくとも部分的に基づいて、前記モバイルデバイスへの前記ハイパーテキスト転送プロトコル要求によって要求されるウェブクライアントアクセスを制御することと
を備える、方法。
［Ｃ２］前記モバイルデバイスの前記割り当てられたオン−オフ電力サイクルタイミングを、前記モバイルデバイスの前記モバイルデバイス識別子に基づいて検索可能であるようにデータベースに記憶することをさらに備える、［Ｃ１］に記載のモバイルデバイスコンテンツへの低減された電力消費アクセスのための方法。
［Ｃ３］前記モバイルデバイスの前記オン−オフ電力サイクルタイミングを取得することが、前記モバイルデバイスの前記モバイルデバイス識別子を使用して、前記データベースにクエリを行うことを含む、［Ｃ２］に記載のモバイルデバイスコンテンツへの低減された電力消費アクセスのための方法。
［Ｃ４］前記ハイパーテキスト転送プロトコル要求を前記ウェブクライアントから受信することが、ウェブサーバで行われ、前記方法が、
絶対時間信号を受信することであって、前記受信することが、前記ウェブサーバと、前記ウェブクライアントと、前記モバイルデバイスとで行われる、受信することをさらに備え、ウェブクライアントアクセスを制御することが、
前記モバイルデバイスにアクセスするための直接アドレスを有する命令、および前記絶対時間信号に対してタイムスケジュールでのアクセスを実行するための命令を、前記モバイルデバイスの前記取得されたオン−オフ電力サイクルタイミングに基づいて、前記ウェブサーバから前記ウェブクライアントに送ることを含む、［Ｃ３］に記載のモバイルデバイスコンテンツへの低減された電力消費アクセスのための方法。
［Ｃ５］前記モバイルデバイスの前記割り当てられたオン−オフ電力サイクルタイミングを割り当てることが、前記モバイルデバイスの前記識別子の算術関数に基づいて、所与の複数のタイムスケジュールの間でタイムスケジュールを選択することと、前記タイムスケジュールを、前記モバイルデバイスの前記割り当てられたオン−オフ電力サイクルタイミングとして割り当てることとを含む、［Ｃ１］に記載のモバイルデバイスコンテンツへの低減された電力消費アクセスのための方法。
［Ｃ６］前記モバイルデバイスの前記取得されたオン−オフ電力サイクルタイミングを取得することが、前記算術関数を前記モバイルデバイスの前記モバイルデバイス識別子に適用することを含む、［Ｃ５］に記載のモバイルデバイスコンテンツへの低減された電力消費アクセスのための方法。
［Ｃ７］前記ウェブクライアントから前記ハイパーテキスト転送プロトコル要求を受信することが、ウェブサーバで行われ、前記モバイルデバイスの前記取得されたオン−オフ電力サイクルタイミングが、前記算術関数を前記モバイルデバイスの前記識別子に前記適用することの結果に基づき、ウェブクライアントアクセスを制御することが、
前記モバイルデバイスにアクセスするための直接アドレスを有する命令、および絶対時間信号に対する前記取得されたオン−オフ電力サイクルタイミングに基づいてタイムスケジュールでのアクセスを実行するための命令を、前記ウェブサーバから前記ウェブクライアントに送ることを含む、［Ｃ６］に記載のモバイルデバイスコンテンツへの低減された電力消費アクセスのための方法。
［Ｃ８］前記ウェブクライアントから前記ハイパーテキスト転送プロトコル要求を受信することが、ウェブサーバで行われ、ウェブクライアントアクセスを制御することが、
前記モバイルデバイスの前記取得されたオン−オフ電力サイクルタイミングに基づいてタイムスケジュールでのアクセスを実行するための命令を、前記ウェブサーバから前記ウェブクライアントに送ることを含む、［Ｃ１］に記載のモバイルデバイスコンテンツへの低減された電力消費アクセスのための方法。
［Ｃ９］ウェブクライアントアクセスを制御することが、アクセス要求ペンディングインジケータを前記ウェブサーバから前記ウェブクライアントに送ることを含み、前記送ることが、アクセスを実行するための前記命令を前記送ることで開始し、前記モバイルデバイスの前記取得されたオン−オフ電力サイクルタイミングに基づく時間に終了する時間間隔内の範囲で行われる、［Ｃ８］に記載のモバイルデバイスコンテンツへの低減された電力消費アクセスのための方法。
［Ｃ１０］前記モバイルデバイス識別子を、割り当てられたＩＰアドレスに関連付けるデータベースを維持することと、
前記割り当てられたＩＰアドレスを取得するために、前記ハイパーテキスト転送プロトコル要求内の前記モバイルデバイス識別子に基づいて、前記モバイルデバイス識別子を前記割り当てられたＩＰアドレスに関連付ける前記データベースのクエリを実行することと
をさらに備え、
前記モバイルデバイスに対する前記ハイパーテキスト転送プロトコル要求によって要求されるウェブクライアントアクセスを制御することが、前記ウェブクライアントにハイパーテキスト転送プロトコルリダイレクト要求を送ることを含み、前記ハイパーテキスト転送プロトコルリダイレクト要求が、前記割り当てられたＩＰアドレスを含む、モバイルデバイス上でウェブサイトにアクセスするための、［Ｃ１］に記載のモバイルデバイスコンテンツへの低減された電力消費アクセスのための方法。
［Ｃ１１］ウェブクライアントで絶対時間信号を受信することと、
モバイルデバイスのコンテンツへのウェブクライアントのアクセスのためのハイパーテキスト転送プロトコル接続要求を前記ウェブクライアントからウェブサーバに送ることであって、前記ハイパーテキスト転送プロトコル接続要求が、前記モバイルデバイスを識別するモバイルデバイス識別子を含む、送ることと、
前記モバイルデバイスに関連付けられたＩＰアドレスにリダイレクトする命令を前記ウェブクライアントで前記ウェブサーバから受信することであって、前記リダイレクトが、前記絶対時間信号に対して特定の時間に行われる、受信することと、
前記特定の時間に従って、前記ウェブクライアントから前記モバイルデバイスにハイパーテキスト転送プロトコルリダイレクトを送ることと
を備える、モバイルデバイスコンテンツへの低減された電力消費アクセスのための方法。
［Ｃ１２］前記ウェブクライアントで前記ウェブサーバからアクセス要求ペンディングインジケータを受信することであって、前記受信することが、前記特定の時間にリダイレクトする前記命令の前記受信で開始し、前記特定の時間に基づく時間に終了する時間間隔内の範囲で行われる、受信することと、
前記アクセス要求ペンディングインジケータに基づいて、前記ウェブクライアントでビジュアルステータスインジケータを表示することと
をさらに備える、［Ｃ１１］に記載のモバイルデバイスコンテンツへの低減された電力消費アクセスのための方法。
［Ｃ１３］前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行し、前記クエリの結果を表示することと
をさらに備える、［Ｃ１１］に記載のモバイルデバイスコンテンツへの低減された電力消費アクセスのための方法。
［Ｃ１４］前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に検出されたセルサイト位置について前記モバイルデバイスに関連付けられたセルラネットワークの問合せを実行し、前記問合せの結果を表示することと
をさらに備える、［Ｃ１１］に記載のモバイルデバイスコンテンツへの低減された電力消費アクセスのための方法。
［Ｃ１５］前記ハイパーテキスト転送プロトコルリダイレクトに対応するハイパーテキスト転送プロトコル接続された通信を前記ウェブクライアントで受信することと、
モバイルデバイス位置決定のための要求を前記ウェブクライアントから前記モバイルデバイスに送ることと、
前記モバイルデバイス位置決定のための前記要求を前記モバイルデバイスに前記送ることに関連して位置決定タイムアウトタイマーを開始することと、
前記モバイルデバイス位置決定のための前記要求に対応するモバイルデバイス位置決定を前記ウェブクライアントで受信する前に、前記位置決定タイムアウトタイマーがタイムアウト値に達するのに応答して、前記モバイルデバイスの現在検出されているセルサイト位置について前記モバイルデバイスに関連付けられたセルラネットワークの問合せを実行し、前記問合せの結果を表示することと
をさらに備える、［Ｃ１１］に記載のモバイルデバイスコンテンツへの低減された電力消費アクセスのための方法。
［Ｃ１６］ワイヤレス通信システム内のプロセッサによって実行されたとき、モバイルデバイスコンテンツへの低減された電力消費アクセスの方法を前記プロセッサに実行させる命令を備えるコンピュータ可読媒体であって、前記命令が、
プロセッサに、前記モバイルデバイスの割り当てられたオン−オフ電力サイクルタイミングを割り当てさせ、前記モバイルデバイスの前記割り当てられたオン−オフ電力サイクルタイミングを、前記モバイルデバイスを識別するモバイルデバイス識別子に関連付けさせる命令と、
プロセッサに、前記モバイルデバイスのコンテンツへのアクセスのためのハイパーテキスト転送プロトコル要求をウェブクライアントから受信させる命令であって、前記ハイパーテキスト転送プロトコル要求が、前記モバイルデバイス識別子を含む、受信させる命令と、
プロセッサに、前記モバイルデバイス識別子に基づいて、前記モバイルデバイスの取得されたオン−オフ電力サイクルタイミングを取得させる命令であって、前記モバイルデバイスの前記取得されたオン−オフ電力サイクルタイミングが、前記割り当てられたオン−オフ電力サイクルタイミングである、取得させる命令と、
プロセッサに、前記モバイルデバイスの前記取得されたオン−オフ電力サイクルタイミングに少なくとも部分的に基づいて、前記モバイルデバイスに対する前記ハイパーテキスト転送プロトコル要求によって要求されるウェブクライアントアクセスを制御させる命令と
を備える、コンピュータ可読媒体。
［Ｃ１７］ワイヤレス通信システム内のプロセッサによって実行されたとき、モバイルデバイスコンテンツへの低減された電力消費アクセスの方法を前記プロセッサに実行させる命令を備えるコンピュータ可読媒体であって、前記命令が、
プロセッサに、絶対時間信号をウェブクライアントで受信させる命令と、
プロセッサに、前記モバイルデバイスのコンテンツへのウェブクライアントアクセスのためのハイパーテキスト転送プロトコル接続要求を前記ウェブクライアントからウェブサーバに送らせる命令であって、前記ハイパーテキスト転送プロトコル接続要求が、前記モバイルデバイスを識別するモバイルデバイス識別子を含む、送らせる命令と、
プロセッサに、前記絶対時間信号に対する特定の時間に、前記モバイルデバイスに関連付けられたＩＰアドレスにリダイレクトする命令を、前記ウェブサーバから前記ウェブクライアントで受信させる命令と、
プロセッサに、前記特定の時間に従ってハイパーテキスト転送プロトコルリダイレクトを前記ウェブクライアントから前記モバイルデバイスに送らせる命令と
を備える、コンピュータ可読媒体。
［Ｃ１８］前記命令が、
プロセッサに、前記ウェブサーバからのアクセス要求ペンディングインジケータを前記ウェブクライアントで受信させる命令であって、前記受信が、時間間隔内の範囲で行われ、前記時間間隔が、前記特定の時間にリダイレクトする前記命令の前記受信で開始し、前記特定の時間に基づく時間に終了する、受信させる命令と、
プロセッサに、前記アクセス要求ペンディングインジケータに基づいて、前記ウェブクライアントでビジュアルステータスインジケータを表示させる命令と
をさらに備える、［Ｃ１７］に記載のコンピュータ可読媒体。
［Ｃ１９］前記命令が、
プロセッサに、前記ハイパーテキスト転送プロトコルリダイレクトを前記送ることに関連して接続タイムアウトタイマーを開始させる命令と、
プロセッサに、前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行させ、前記クエリの結果を表示させる命令と
をさらに備える、［Ｃ１７］に記載のコンピュータ可読媒体。
［Ｃ２０］モバイルデバイスコンテンツへの低減された電力消費アクセスを提供するための装置であって、前記装置が、
ネットワークインターフェースと、
前記ネットワークインターフェースに通信可能に結合されたプロセッサと、
前記プロセッサに通信可能に結合され、命令を有するメモリと
を備え、前記命令が、前記プロセッサによって実行されたとき、前記装置に、
前記モバイルデバイスの割り当てられたオン−オフ電力サイクルタイミングを割り当てることであって、前記割り当てることが、前記モバイルデバイスの前記割り当てられたオン−オフ電力サイクルタイミングを、前記モバイルデバイスを識別するモバイルデバイス識別子に関連付けることを含む、割り当てることと、
前記モバイルデバイスのコンテンツへのアクセスのためのハイパーテキスト転送プロトコル要求をウェブクライアントから受信することであって、前記ハイパーテキスト転送プロトコル要求が前記モバイルデバイス識別子を含む、受信することと
前記モバイルデバイス識別子に基づいて、前記モバイルデバイスの取得されたオン−オフ電力サイクルタイミングを取得することであって、前記モバイルデバイスの取得されたオン−オフ電力サイクルタイミングが、前記割り当てられたオン−オフ電力サイクルタイミングである、取得することと、
前記モバイルデバイスの前記取得されたオン−オフ電力サイクルタイミングに少なくとも部分的に基づいて、前記モバイルデバイスに対する前記ハイパーテキスト転送プロトコル要求によって要求されるウェブクライアントアクセスを制御することと
を行わせる、装置。
［Ｃ２１］前記命令が、前記プロセッサによって実行されたとき、さらに前記装置に、前記モバイルデバイスの前記割り当てられたオン−オフ電力サイクルタイミングを、前記モバイルデバイスの前記モバイルデバイス識別子に基づいて検索可能であるようにデータベースに記憶させる、［Ｃ２０］に記載のモバイルデバイスコンテンツへの低減された電力消費アクセスを提供するための装置。
［Ｃ２２］前記モバイルデバイスの前記オン−オフ電力サイクルタイミングを取得することが、前記モバイルデバイスの前記モバイルデバイス識別子を使用して、前記データベースにクエリを行うことを含む、［Ｃ２１］に記載のモバイルデバイスコンテンツへの低減された電力消費アクセスを提供するための装置。
［Ｃ２３］前記装置が、ウェブサーバであり、前記命令が、前記プロセッサによって実行されたとき、さらに前記装置に、
絶対時間信号を受信させ、前記受信が、前記ウェブサーバと、前記ウェブクライアントと、前記モバイルデバイスとで行われ、ウェブクライアントアクセスを制御することが、
前記モバイルデバイスにアクセスするための直接アドレスを有する命令、および前記絶対時間信号に対してタイムスケジュールでのアクセスを実行するための命令を、前記モバイルデバイスの前記取得されたオン−オフ電力サイクルタイミングに基づいて、前記ウェブサーバから前記ウェブクライアントに送ることを含む、［Ｃ２２］に記載のモバイルデバイスコンテンツへの低減された電力消費アクセスを提供するための装置。
［Ｃ２４］前記モバイルデバイスの前記割り当てられたオン−オフ電力サイクルタイミングを割り当てることが、前記モバイルデバイスの前記識別子の算術関数に基づいて、所与の複数のタイムスケジュールの間でタイムスケジュールを選択することと、前記タイムスケジュールを、前記モバイルデバイスの前記割り当てられたオン−オフ電力サイクルタイミングとして割り当てることとを含む、［Ｃ２０］に記載のモバイルデバイスコンテンツへの低減された電力消費アクセスを提供するための装置。
［Ｃ２５］前記モバイルデバイスの前記取得されたオン−オフ電力サイクルタイミングを取得することが、前記算術関数を前記モバイルデバイスの前記モバイルデバイス識別子に適用することを含む、［Ｃ２４］に記載のモバイルデバイスコンテンツへの低減された電力消費アクセスを提供するための装置。
［Ｃ２６］前記装置が、ウェブサーバであり、
前記モバイルデバイスの前記取得されたオン−オフ電力サイクルタイミングが、前記算術関数を前記モバイルデバイスの前記識別子に前記適用することの結果に基づき、ウェブクライアントアクセスを制御することが、
前記モバイルデバイスにアクセスするための直接アドレスを有する命令、および絶対時間信号に対する前記取得されたオン−オフ電力サイクルタイミングに基づいてタイムスケジュールでのアクセスを実行するための命令を、前記ウェブサーバから前記ウェブクライアントに前記ネットワークインターフェースを介して送ることを含む、［Ｃ２５］に記載のモバイルデバイスコンテンツへの低減された電力消費アクセスを提供するための装置。
［Ｃ２７］前記装置が、ウェブサーバであり、ウェブクライアントアクセスを制御することが、
前記モバイルデバイスの前記取得されたオン−オフ電力サイクルタイミングに基づいてタイムスケジュールでのアクセスを実行するための命令を、前記ウェブサーバから前記ウェブクライアントに前記ネットワークインターフェースを介して送ることを含む、［Ｃ２０］に記載のモバイルデバイスコンテンツへの低減された電力消費アクセスを提供するための装置。
［Ｃ２８］ウェブクライアントアクセスを制御することが、アクセス要求ペンディングインジケータを前記ウェブサーバから前記ウェブクライアントに前記ネットワークインターフェースを介して送ることを含み、前記送ることが、アクセスを実行するための前記命令を送ることで開始し、前記モバイルデバイスの前記取得されたオン−オフ電力サイクルタイミングに基づく時間に終了する時間間隔内の範囲で行われる、［Ｃ２７］に記載のモバイルデバイスコンテンツへの低減された電力消費アクセスのための方法。
［Ｃ２９］前記命令が、前記プロセッサによって実行されたとき、さらに前記装置に、
前記モバイルデバイス識別子を、割り当てられたＩＰアドレスに関連付けるデータベースを維持することと、
前記割り当てられたＩＰアドレスを取得するために、前記ハイパーテキスト転送プロトコル要求内の前記モバイルデバイス識別子に基づいて、前記モバイルデバイス識別子を前記割り当てられたＩＰアドレスに関連付ける前記データベースのクエリを実行することと
を行わせ、
前記モバイルデバイスに対する前記ハイパーテキスト転送プロトコル要求によって要求されるウェブクライアントアクセスを制御することが、前記ウェブクライアントにハイパーテキスト転送プロトコルリダイレクト要求を送ることを含み、前記ハイパーテキスト転送プロトコルリダイレクト要求が、前記割り当てられたＩＰアドレスを含む、［Ｃ２０］に記載のモバイルデバイスコンテンツへの低減された電力消費アクセスのための方法。
［Ｃ３０］モバイルデバイスコンテンツへの低減された電力消費アクセスを提供するための装置であって、前記装置が、
ネットワークインターフェースと、
前記ネットワークインターフェースに通信可能に結合されたプロセッサと、
前記プロセッサに通信可能に結合され、命令を有するメモリと
を備え、前記命令が、前記プロセッサによって実行されたとき、前記装置に、
ウェブクライアントで絶対時間信号を受信することと、
モバイルデバイスのコンテンツへのウェブクライアントアクセスのためのハイパーテキスト転送プロトコル接続要求を前記ウェブクライアントからウェブサーバに前記ネットワークインターフェースを介して送ることであって、前記ハイパーテキスト転送プロトコル接続要求が、前記モバイルデバイスを識別するモバイルデバイス識別子を含む、送ることと、
前記モバイルデバイスに関連付けられたＩＰアドレスにリダイレクトする命令を前記ウェブサーバから前記ネットワークインターフェースを介して受信することであって、前記リダイレクトが、前記絶対時間信号に対して特定の時間に行われる、受信することと、
前記特定の時間に従って、前記ウェブクライアントから前記モバイルデバイスにハイパーテキスト転送プロトコルリダイレクトを送ることと
を行わせる、装置。
［Ｃ３１］前記命令が、前記プロセッサによって実行されたとき、さらに前記装置に、
前記ネットワークインターフェースを介して前記ウェブサーバからアクセス要求ペンディングインジケータを受信することであって、前記受信することが、前記特定の時間にリダイレクトする前記命令の前記受信で開始し、前記特定の時間に基づく時間に終了する時間間隔内の範囲で行われる、受信することと、
前記アクセス要求ペンディングインジケータに基づいて、前記ウェブクライアントでビジュアルステータスインジケータを表示することと
を行わせる、［Ｃ３０］に記載のモバイルデバイスコンテンツへの低減された電力消費アクセスを提供するための装置。
［Ｃ３２］前記命令が、前記プロセッサによって実行されたとき、さらに前記装置に、
前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行し、前記クエリの結果を表示することと
を行わせる、［Ｃ３０］に記載のモバイルデバイスコンテンツへの低減された電力消費アクセスを提供するための装置。
［Ｃ３３］前記命令が、前記プロセッサによって実行されたとき、さらに前記装置に、
前記ハイパーテキスト転送プロトコルリダイレクトを前記送ることに関連して接続タイムアウトタイマーを開始することと、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に検出されたセルサイト位置について前記モバイルデバイスに関連付けられたセルラネットワークの問合せを実行し、前記問合せの結果を表示することと
を行わせる、［Ｃ３０］に記載のモバイルデバイスコンテンツへの低減された電力消費アクセスを提供するための装置。
［Ｃ３４］前記命令が、前記プロセッサによって実行されたとき、さらに前記装置に、
前記ハイパーテキスト転送プロトコルリダイレクトに対応するハイパーテキスト転送プロトコル接続された通信を前記ウェブクライアントで受信することと、
モバイルデバイス位置決定のための要求を前記ウェブクライアントから前記モバイルデバイスに送ることと、
前記モバイルデバイス位置決定のための前記要求を前記モバイルデバイスに前記送ることに関連して位置決定タイムアウトタイマーを開始することと、
前記モバイルデバイス位置決定のための前記要求に対応するモバイルデバイス位置決定を前記ウェブクライアントで受信する前に、前記位置決定タイムアウトタイマーがタイムアウト値に達するのに応答して、前記モバイルデバイスの現在検出されているセルサイト位置について前記モバイルデバイスに関連付けられたセルラネットワークの問合せを実行し、前記問合せの結果を表示することと
を行わせる、［Ｃ３０］に記載のモバイルデバイスコンテンツへの低減された電力消費アクセスを提供するための装置。
［Ｃ３５］モバイルデバイスコンテンツへの低減された電力消費アクセスのためのシステムであって、
前記モバイルデバイスの割り当てられたオン−オフ電力サイクルタイミングを割り当てるための手段であって、割り当てるための前記手段が、前記モバイルデバイスの前記割り当てられたオン−オフ電力サイクルタイミングを、前記モバイルデバイスを識別するモバイルデバイス識別子に関連付けるための手段を含む、割り当てるための手段と、
前記モバイルデバイスのコンテンツへのアクセスのためのハイパーテキスト転送プロトコル要求をウェブクライアントから受信するための手段であって、前記ハイパーテキスト転送プロトコル要求が前記モバイルデバイス識別子を含む、受信するための手段と、
前記モバイルデバイス識別子に基づいて、前記モバイルデバイスの取得されたオン−オフ電力サイクルタイミングを取得するための手段であって、前記モバイルデバイスの取得されたオン−オフ電力サイクルタイミングが、前記割り当てられたオン−オフ電力サイクルタイミングである、取得するための手段と、
前記モバイルデバイスの前記取得されたオン−オフ電力サイクルタイミングに少なくとも部分的に基づいて、前記モバイルデバイスに対する前記ハイパーテキスト転送プロトコル要求によって要求されるウェブクライアントアクセスを制御するための手段と
を備える、システム。
［Ｃ３６］前記モバイルデバイスの前記割り当てられたオン−オフ電力サイクルタイミングを、前記モバイルデバイスの前記モバイルデバイス識別子に基づいて検索可能であるようにデータベースに記憶するための手段をさらに備える、［Ｃ３５］に記載のモバイルデバイスコンテンツへの低減された電力消費アクセスのためのシステム。
［Ｃ３７］前記モバイルデバイスの前記オン−オフ電力サイクルタイミングを取得するための前記手段が、前記モバイルデバイスの前記モバイルデバイス識別子を使用して、前記データベースにクエリを行うための手段を含む、［Ｃ３６］に記載のモバイルデバイスコンテンツへの低減された電力消費アクセスのためのシステム。
［Ｃ３８］前記ハイパーテキスト転送プロトコル要求を前記ウェブクライアントから受信するための前記手段が、ウェブサーバにあり、前記システムが、
絶対時間信号を受信するための手段であって、前記受信することが、前記ウェブサーバと、前記ウェブクライアントと、前記モバイルデバイスとで行われる、受信するための手段をさらに備え、ウェブクライアントアクセスを制御することが、
前記モバイルデバイスにアクセスするための直接アドレスを有する命令、および前記絶対時間信号に対してタイムスケジュールでのアクセスを実行するための命令を、前記モバイルデバイスの前記取得されたオン−オフ電力サイクルタイミングに基づいて、前記ウェブサーバから前記ウェブクライアントに送るための手段を含む、［Ｃ３７］に記載のモバイルデバイスコンテンツへの低減された電力消費アクセスのためのシステム。
［Ｃ３９］モバイルデバイスコンテンツへの低減された電力消費アクセスのためのシステムであって、
ウェブクライアントで絶対時間信号を受信するための手段と、
モバイルデバイスのコンテンツへのウェブクライアントアクセスのためのハイパーテキスト転送プロトコル接続要求を前記ウェブクライアントからウェブサーバに送るための手段であって、前記ハイパーテキスト転送プロトコル接続要求が、前記モバイルデバイスを識別するモバイルデバイス識別子を含む、送るための手段と、
前記モバイルデバイスに関連付けられたＩＰアドレスにリダイレクトする命令を前記ウェブクライアントで前記ウェブサーバから受信するための手段であって、前記リダイレクトが、前記絶対時間信号に対して特定の時間に行われる、受信するための手段と、
前記特定の時間に従って、前記ウェブクライアントから前記モバイルデバイスにハイパーテキスト転送プロトコルリダイレクトを送るための手段と
を備える、システム。
［Ｃ４０］前記ウェブクライアントで前記ウェブサーバからアクセス要求ペンディングインジケータを受信するための手段であって、前記受信が、前記特定の時間にリダイレクトする前記命令の前記受信で開始し、前記特定の時間に基づく時間に終了する時間間隔内の範囲で行われる、受信するための手段と、
前記アクセス要求ペンディングインジケータに基づいて、前記ウェブクライアントでビジュアルステータスインジケータを表示するための手段と
をさらに備える、［Ｃ３９］に記載のモバイルデバイスコンテンツへの低減された電力消費アクセスのためのシステム。
［Ｃ４１］前記ハイパーテキスト転送プロトコルリダイレクトを前記送ることに関連して接続タイムアウトタイマーを開始するための手段と、
前記ハイパーテキスト転送プロトコルリダイレクトに対応するハイパーテキスト転送プロトコル接続された通信を前記ウェブクライアントで受信する前に、前記接続タイムアウトタイマーがタイムアウト値に達するのに応答して、前記モバイルデバイスの最後に報告された位置を有する情報源のクエリを実行し、前記クエリの結果を表示するための手段と
をさらに備える、［Ｃ３９］に記載のモバイルデバイスコンテンツへの低減された電力消費アクセスのためのシステム。